(57)【要約】【課題】十分な液密性を確保しつつ、コックの回動が容易となる活栓、及び前記活栓を用いた医療用チューブを提供する。【解決手段】活栓は、コックがコック収容部１３に収容された状態で互いに対向する前記コックの外周面と前記コック収容部１３の内周面１３１ａとのうち、内周面１３１ａには、前記コック１３の回動軸Ｃを中心として周方向に一周する環状凸部１５，１６が形成され、コックの外周面が前記環状凸部１５，１６に当接する。【選択図】図２
2016036625.tif 000002
【特許請求の範囲】
【請求項１】
ハウジング及びコックを備え、
前記ハウジングには、流路が貫通状に形成されていると共に前記流路に交差してコック収容部が設けられており、
前記コックが前記コック収容部に回動自在に収容され、前記コックの回動により前記流路が開閉可能とされている活栓であって、
前記コックが前記コック収容部に収容された状態で互いに対向する前記コックの外周面と前記コック収容部の内周面とのうち、
一方の周面には、前記コックの回動軸を中心として周方向に一周する環状凸部が形成され、
他方の周面と前記環状凸部とが当接することにより、対向する前記コック外周面と前記コック収容部の内周面との間に隙間が形成されている
ことを特徴とする活栓。
【請求項２】
前記環状凸部は、少なくとも２箇所互いに離間して形成されており、２つの環状凸部の間に前記流路が配置されている
請求項１に記載の活栓。
【請求項３】
前記コックの外周面及び前記コック収容部の内周面は、コックの挿入方向に向かって縮径したテーパ面である
請求項２に記載の活栓。
【請求項４】
前記流路は、前記コック収容部に向かって細くなるテーパ形状を有している
請求項１乃至請求項３のいずれか１項に記載の活栓。
【請求項５】
少なくとも一端に、請求項１乃至請求項４のいずれか１項に記載の活栓が取り付けられた
ことを特徴とする医療用チューブ。
【発明の詳細な説明】
【技術分野】
【０００１】
本発明は、例えば医療に用いられる活栓、及び前記活栓が取り付けられた医療用チューブに関する。
【背景技術】
【０００２】
従来から、医療に用いられている活栓としては、例えば特許文献１に提案されているような、ハウジングとコックとを具備するものが知られている。なお、樹脂製の活栓は、上記特許文献１に提案されているように、樹脂の組成、又は配合量を変えることで成形時の精度、ハウジングとコックとの滑りやすさ、あるいは固定のしやすさ、又は滅菌操作時の耐性等を適宜調整できるため、これまでに広く採用されている。
【０００３】
ところで、特に医療用の活栓としては、流路を流れる生理食塩水等の薬液や血液等の流体が外気に触れたり、外に漏れ出したりしないように、コック収容部の内周面とコックの外周面との間に十分な液密性が確保されている。例えば、上記特許文献１にかかる従来構成にあっては、いわゆるプレスフィットによって前記コック収容部内周面とコック外周面とが十分に面接触している。
【先行技術文献】
【特許文献】
【０００４】
【特許文献１】国際公開第２００７／１１６６１０号
【発明の概要】
【発明が解決しようとする課題】
【０００５】
しかしながら、コック収容部の内周面とコックの外周面との接触面積を増やして十分な液密性を確保しようとすると、コック収容部の内周面とコックの外周面との間に大きな摩擦抵抗が発生し、コックの操作性が低下してしまうおそれがある。したがって、例えば薬液等の切り換え作業が迅速に行えないなどの問題が生ずる。また、過剰に力を加えて無理にコックを操作しようとすると、今度はコックやハウジングが歪んでしまって液密性が低下してしまうおそれがある。
【０００６】
そこで本発明は、十分な液密性を確保しつつ、コックの回動を容易かつ円滑とした活栓、及び前記活栓を用いた医療用チューブを提供することを目的とする。
【課題を解決するための手段】
【０００７】
本発明は、ハウジング及びコックを備え、前記ハウジングには、流路が貫通状に形成されていると共に前記流路に交差してコック収容部が設けられており、前記コックが前記コック収容部に回動自在に収容され、前記コックの回動により前記流路が開閉可能とされている活栓であって、前記コックが前記コック収容部に収容された状態で互いに対向する前記コックの外周面と前記コック収容部の内周面とのうち、一方の周面には、前記コックの回動軸を中心として周方向に一周する環状凸部が形成され、他方の周面と前記環状凸部とが当接することにより、対向する前記コック外周面と前記コック収容部の内周面との間に隙間が形成されていることを特徴とする活栓である。
【０００８】
かかる構成にあっては、前記他方の周面と前記環状凸部とが当接することにより、対向する前記コック外周面と前記コック収容部の内周面との間に隙間が形成されるため、コック収容部の内周面とコックの外周面との間で発生する摩擦抵抗が低減され、コックの摺動抵抗が抑えられてコックの操作性が飛躍的に向上する。さらに、このように前記環状凸部を他方の面に当接させる構成とすることにより、従来に比してコック収容部の内周面とコックの外周面との間の接触圧をより一層高めることが可能となる。したがって、コック収納部の内周面とコック外周面との間において液漏れの原因となるような隙間が生じにくくなり、かえって活栓としての液密性を十分に確保することができる。なお、前記他方の周面と前記環状凸部とが当接した状態としては、前記他方の周面と前記環状凸部とが線接触していてもよいし、前記他方の周面と前記環状凸部とが面接触していてもよい。コック収容部の内周面とコックの外周面との間で発生する摩擦抵抗をより一層低減するという観点においては、前記他方の周面と前記環状凸部とが線接触する構成が特に望ましい。
【０００９】
また、前記環状凸部は、少なくとも２箇所互いに離間して形成されており、２つの環状凸部の間に前記流路が配置されていることが望ましい。
【００１０】
かかる構成とすることにより、より一層、前記コックの回動時の摩擦抵抗を低減することができる。さらに、前記コックが、互いに離間して配置された各環状凸部を支点にしてコック収容部内で回動自在に保持されるため、コック収容部内においていわゆるコックの座りが向上して正逆を含む回動時の姿勢が安定し、コックの回動操作が円滑となる。
【００１１】
また、前記コックの外周面及び前記コック収容部の内周面は、コックの挿入方向に向かって縮径したテーパ面となるように構成されていてもよい。
【００１２】
かかる構成にあっては、前記コックを回動させる際に加えられる力が、前記コックの挿入方向にも押圧力として加えられると、この押圧力が、環状凸部と他方の周面とが当接する方向にも分散するので、コック収容部とコックとの間の液密性が好適に確保される。
【００１３】
また、前記流路は、前記コック収容部に向かって細くなるテーパ形状を有していることが好ましい。
【００１４】
かかる構成とすることにより、コック収容部周りにおける流路の占有面積を可及的に小さくすることができるため、前記環状凸部を配置できる領域が拡大して環状凸部の配置の自由度が向上する利点がある。
【００１５】
また、本発明は、少なくとも一端に、上述の活栓が取り付けられたことを特徴とする医療用チューブである。
【００１６】
かかる構成とすることにより、コックの操作性が向上した医療用チューブが提供可能となる。
【発明の効果】
【００１７】
本発明の活栓は、十分な液密性を確保しつつ、コック操作時の摺動抵抗を抑えることができるため、コックの回動が容易かつ円滑となる優れた効果がある。
【００１８】
また、本発明の医療用チューブは、コックの操作性が良好であるため、医療現場において迅速な医療行為が実現できる優れた効果がある。
【図面の簡単な説明】
【００１９】
【図１】実施例にかかる活栓を示し、（ａ）は平面図、（ｂ）は正面図である。
【図２】実施例にかかる活栓に用いられるハウジングを示し、（ａ）は平面図、（ｂ）は縦断面図である。
【図３】実施例にかかる活栓に用いられるコックを示し、（ａ）は平面図、（ｂ）は一部切欠正面図である。
【図４】図２（ｂ）のＡ部拡大図である。
【図５】実施例にかかる活栓の部分拡大図である。
【図６】環状凸部を示す説明図である。
【図７】（ａ）は、実施例にかかる活栓に用いられるコックの別の実施形態を示す部分拡大図であって、（ｂ）は、前記コックを用いた活栓の実施形態を示す部分拡大図である。
【図８】実施例にかかる活栓に用いられるハウジングの別の実施形態を示す縦断面図である。
【図９】実施例にかかる医療用チューブの説明図である。
【発明を実施するための形態】
【００２０】
以下、本発明の活栓、及び医療用チューブを具体化した実施例を詳細に説明する。なお、本発明は、下記に示す実施例に限定されることはなく、適宜設計変更が可能である。
【００２１】
図１に示すように、活栓１は、ハウジング１０、及びコック２０を備えている。
【００２２】
前記ハウジング１０は、図２ａ，ｂに示すように、左右方向に突き出された第一筒部１１と、第二筒部１２とを備えている。そして、前記第一筒部１１内には、図２ｂに示すように、第一貫通孔１１１が形成され、前記第二筒部１２内には、第二貫通孔１２１が形成されている。また、前記第一筒部１１の外周面には、第一接続部１１２が形成され、シリンジ等が第一接続部１１２に接続可能とされている。一方、前記第二筒部１２の外周面には、第二接続部１２２が形成されており、カテーテル等が第二接続部１２２に接続可能とされている。
【００２３】
さらに、前記第一筒部１１と前記第二筒部１２との間には、上方に向けて開放されたコック収容部１３が配置され、前記コック収容部１３内には、前記コック２０が収容されるコック収容室１３１が設けられている。また、前記コック収容室１３１は、第一内側開口１１１ａを介して前記第一筒部１１の第一貫通孔１１１に連通していると共に、第二内側開口１２１ａを介して前記第二筒部１２の第二貫通孔１２１に連通している。
【００２４】
上記したハウジング１０にあって、前記第一貫通孔１１１と前記第二貫通孔１２１とによって、前記ハウジング１０内に貫通状に形成される流路１４が構成されている。
【００２５】
また、前記コック収容室１３１の内部空間は、内周面１３１ａによって囲まれており、前記内周面１３１ａは、図２ｂに示すように、前記コック２０の挿入方向（図２ｂ中、下向き方向）に向かって縮径したテーパ面とされている。
【００２６】
さらに、前記流路１４は、前記コック収容部１３に向かって細くなるテーパ形状を有している。具体的には、第一貫通孔１１１にあって、外部と連通する第一外側開口１１１ｂから第一内側開口１１１ａに向かって縮径している。
【００２７】
本実施例にあっては、前記第一貫通孔１１１の第一内側開口１１１ａの内径は約１．５ｍｍとされ、第一外側開口１１１ｂの内径は約５ｍｍとされている。また、前記第二貫通孔１２１の内径は約１．８ｍｍとされている。また、前記コック収容室１３１の上側の開口部の内径は約６ｍｍとされている。
【００２８】
また、前記ハウジング１０は、樹脂製であるのが好ましく、樹脂としては、ポリカーボネート、ポリアセタール、ポリエチレンなどのポリオレフィン等が挙げられる。中でも、ポリカーボネート製又はポリアセタール製とすることが好ましい。
【００２９】
また、図３ａ，ｂに示すように、前記コック２０は、下端部に向かって縮径するテーパ形状を有するコック本体２１を備えている。そして、前記コック本体２１には、図３ｂに示すように、径方向に貫通するコック貫通孔２１１が設けられている。また、前記コック本体２１の上部には左右方向に張り出した回動レバー２２が設けられ、前記コック本体２１の下部には、コック固定部材２５の凸片２５１と嵌合する凹溝２１２が設けられている。
【００３０】
そして、前記コック２０が前記コック収容部１３に収容された状態で、前記コック固定部材２５がコック本体２１に固定されることで、前記コック２０は、前記コック収容部１３内に脱落することなく保持され、かつ回動軸Ｃを中心に回動自在となる。
【００３１】
また、前記コック２０は、樹脂製であるのが好ましく、樹脂としては、ポリカーボネート、ポリアセタール、ポリエチレンなどのポリオレフィン等が挙げられる。中でも、ポリアセタール製とすることが好ましい。
【００３２】
例えば、活栓１を医療用チューブに用いる場合、ハウジング１０及びコック２０の両方をポリアセタール製とするか、或いはハウジング１０をポリカーボネート製とし、コック２０をポリアセタール製とすることで、医療用チューブの活栓に必要とされる液密性などの機能を損なうことなく、より優れたコックの回動性を発現させることができる。
【００３３】
かかる構成にあって、前記流路１４に交差して設けられた前記コック収容部１３に、前記コック２０が収容された状態で回動操作されると、コック貫通孔２１１が第一貫通孔１１１及び第二貫通孔１２１と連通した場合に前記流路１４が開通し、一方、連通しない場合に前記流路１４が不通となる。
【００３４】
次に、本発明の要部について説明する。
図２，４に示すように、互いに対向する前記コック収容部１３の内周面１３１ａと、前記コック２０の外周面２１ａとのうち、前記内周面１３１ａには、互いに離間した上下一対の環状凸部１５，１６が形成されている。
【００３５】
さらに詳述すると、図２に示すように、前記環状凸部１５，１６は、共に前記コック２０の回動軸Ｃを中心として周方向に一周するように形成され、上下一対の環状凸部１５，１６が、前記流路１４を挟むようにして配置され、これにより各環状凸部１５，１６の間に前記流路１４が位置している。
【００３６】
一方、図５に示すように、前記コック２０の外周面２１ａは、平滑面により構成され、前記環状凸部１５，１６が当接している。このように、前記コック２０の外周面２１ａに前記環状凸部１５，１６が当接することで、前記コック収容部１３の内周面１３１ａと、前記コック２０の外周面２１ａとの間に隙間が形成されている。
【００３７】
また、図６に示すように、前記コック２０の外周面２１ａ及び前記コック収容部１３の内周面１３１ａは、上述のようにコック２０の挿入方向に向かって縮径している。
【００３８】
また、本実施例にあって前記環状凸部１５，１６の突出高さは約０．０１５ｍｍとされている。なお、突出高さとは、前記コック収容部１３の内周面１３１ａを基準にした環状凸部１５，１６の実質的な突高さに対応する。
【００３９】
これまでに述べた活栓１は、前記環状凸部１５，１６がコック２０の外周面２１ａに対して各々線接触するため、コック収容部１３の内周面１３１ａとコック２０の外周面２１ａとの間で発生する摩擦抵抗が低減され、コック２０の摺動抵抗が抑えられてコック２０の操作性が飛躍的に向上する。さらに、このように前記環状凸部１５，１６の先端をコック２０の外周面２１ａに線接触で当接させる構成とすることにより、従来に比してコック収容部１３の内周面１３１ａとコック２０の外周面２１ａとの間の接触圧をより一層高めることが可能となる。したがって、コック収納部１３の内周面１３１ａとコック２０の外周面２１ａとの間において液漏れの原因となるような隙間が生じにくくなり、活栓１としての液密性を十分に確保することができる。
【００４０】
また、上下一対の環状凸部１５，１６を配置することにより、単一の環状凸部を設けた構成に比して前記コック２０の回動時の摩擦抵抗をより一層低減することが可能となる。さらに、前記コック２０が、互いに離間して配置された各環状凸部１５，１６を支点にしてコック収容部１３内のコック収容室１３１で回動自在に保持されるため、コック収容室１３１においてコック２０の座りが向上して正逆を含む回動時の姿勢が安定し、コック２０の回動操作が円滑となる。
【００４１】
また、前記コック収容部１３の内周面１３１ａと前記コック２０の外周面２１ａとを、前記コック２０の挿入方向に向かうに従い縮径したテーパ面とすることにより、前記コック２０を回動させる際に、前記コック２０の挿入方向にも押圧力が加わると、この押圧力が、コック２０の外周面２１ａを環状凸部１５，１６に当接させる方向にも分散する。これにより、コック収容部１３とコック２０との間の液密性が好適に確保されることになる。
【００４２】
また、図２ｂに示すように、前記流路１４を、前記コック収容部１３に向かって縮径する形状とすることにより、コック収容部１３周りにおける流路１４の占有面積を可及的に小さくすることができるため、前記環状凸部１５，１６を配置できる領域が拡大して環状凸部１５，１６の配置の自由度が向上する利点がある。
【００４３】
また、前記環状凸部１５，１６により液密性を確保することにより、前記ハウジング１０のコック収容部１３における内周面１３１ａと、前記コック２０の外周面２１ａの各傾斜角度とは、必ずしも同一でなくてもよい。例えば、前記コック収容部１３の内周面１３１ａの傾斜角度に対して前記コック２０の外周面２１ａの傾斜角度が小さい場合にも、前記環状凸部１５，１６の突出高さを所要の寸法に各々設定することで適切に環状凸部１５，１６をコック２０の外周面２１ａに当接させて液漏れを防止できる。
【００４４】
なお、活栓１に使用できる材料としては、上記した材料に限定されるものではなく、他にも、ポリテトラフルオロエチレン等のフッ素化樹脂や、ポリフェニレンサルファイド（ＰＰＳ）、ポリエーテルエーテルケトン（ＰＥＥＫ）等の合成樹脂や複数の合成樹脂の混合物（ポリマーアロイ）等が挙げられる。また、前記ハウジング１０と前記コック２０は、同一の材料で製造されてもよいし、別種の材料で製造されてもよい。
【００４５】
また、図７ａに示すように、前記コック２０の外周面２１ａに、前記環状凸部１５，１６が当接する湾曲凹面２１ｂを設けてもよい。さらに詳述すると、前記湾曲凹面２１ｂは、前記コック２０の回動軸Ｃを中心として周方向に一周するように形成されており、前記環状凸部１５，１６の湾曲形状に対応させた形状とされている。そして、図７ｂに示すように、前記コック２０が前記コック収容部１３に収容された状態で、前記環状凸部１５，１６と前記湾曲凹面２１ｂとが面接触し、かつ前記コック収容部１３の内周面１３１ａと、前記コック２０の外周面２１ａとの間に隙間が形成されている。かかる構成とすることにより、十分な液密性を確保しつつ、コック２０の操作時の摺動抵抗を抑えることができると共に、前記コック２０を前記コック収容部１３により確実に取り付けることが可能となる。
【００４６】
また、環状凸部１５，１６が、前記コック２０の外周面２１ａに設けられ、該環状凸部１５，１６が前記コック収容部１３の内周面１３１ａに当接した構成や、環状凸部１５，１６のうちの一方がハウジング１０の内周面１３１ａに設けられ、他方がコック２０の外周面２１ａに設けられ、環状凸部１５，１６が対向する周面に当接した構成であってもよい。
【００４７】
また、上下一対の環状凸部１５，１６の先端が他方の周面に当接している限り、各環状凸部１５，１６の突出高さは同一であっても異なっていてもよい。
【００４８】
また、本発明は、前記環状凸部１５，１６が１箇所のみ形成されているものを積極的に排除するものではない。さらに、図８に示すように、３箇所に環状凸部１５，１６，１７が形成されていてもよく、４箇所以上に環状凸部が形成されていてもよい。
【００４９】
また、本実施例の活栓１は、図９に示すように、前記活栓１における前記第二筒部１２の第二接続部１２２をカテーテル３０の基端に接続し、医療用チューブ４０とするのが好ましい。かかる医療用チューブ４０は、コック２０の操作性が良好であるため、医療現場において迅速な医療行為が実現できる。
【符号の説明】
【００５０】
１                  活栓
１０                ハウジング
１３                コック収容部
１４                流路
１５，１６，１７    環状凸部
２０                コック
２１ａ              外周面
４０                医療用チューブ
１３１ａ            内周面
【図１】
2016036625.tif 000003
【図２】
2016036625.tif 000004
【図３】
2016036625.tif 000005
【図４】
2016036625.tif 000006
【図５】
2016036625.tif 000007
【図６】
2016036625.tif 000008
【図７】
2016036625.tif 000009
【図８】
2016036625.tif 000010
【図９】
2016036625.tif 000011